(57)【要約】【課題】光学ファインダ像に電子ビューファインダの画像を重畳し、両者を同時に視認することが可能なファインダ装置において、光学被写体像に埋もれることなく重畳表示を視認可能にすること。【解決手段】カメラのファインダ装置は、被写体の光学像が提供される光学ファインダと、画像情報を画像として表示する表示手段と、所定の光学特性を有し、光学ファインダに提供される光学像と表示手段で表示された画像を、光学ファインダの光路において光学的に合成する光路合成手段と、画像情報に画像表示処理を行う画像表示処理手段を備え、画像表示処理手段は、光学ファインダに被写体の光学像が提供されていない場合は、光路合成手段の所定の光学特性に応じた第１の画像表示処理を画像情報に行うことを特徴とする。【選択図】図１
2015115938.tif 000002
【特許請求の範囲】
【請求項１】
被写体の光学像が提供される光学ファインダと、
画像情報を画像として表示する表示手段と、
所定の光学特性を有し、光学ファインダに提供される前記光学像と前記表示手段で表示された前記画像を、光学ファインダの光路において光学的に合成する光路合成手段と、
前記画像情報に画像表示処理を行う画像表示処理手段を備え、
前記画像表示処理手段は、前記光学ファインダに前記被写体の光学像が提供されていない場合は、前記光路合成手段の前記所定の光学特性に応じた第１の画像表示処理を前記画像情報に行うことを特徴とするカメラのファインダ装置。
【請求項２】
前記光路合成手段は、可視光波長領域の第１の波長領域において第１の透過率を有し、前記第１の波長領域より長波長側の第２の波長領域おいて前記第１の透過率よりも低い第２の透過率を有する光学特性を有する光学素子であることを特徴とする請求項１に記載のカメラのファインダ装置。
【請求項３】
前記画像表示処理手段が行う前記第１の画像表示処理は、前記電子画像において前記第２の波長領域の可視光波長領域に対応する画素値を下げるカラーバランス処理を含むことを特徴とする請求項２に記載のカメラのファインダ装置。
【請求項４】
前記光学素子は、波長選択性ミラーと複数のプリズムの組み合わせであることを特徴とする請求項２又は３に記載のカメラのファインダ装置。
【請求項５】
前記光学ファインダに前記被写体の光学像が提供されている場合は、前記画像表示処理手段は、前記第１の画像表示処理とは異なる第２の画像表示処理を前記画像情報に行い、前記第２の画像表示処理は、前記画像の画素値を変更しない画像表示処理であることを特徴とする請求項１乃至４のいずれか一項に記載のカメラのファインダ装置。
【請求項６】
前記表示手段は、バックライトを有する液晶表示手段であり、前記カメラのファインダ装置は、前記バックライトの発光量の制御として、前記光学ファインダに前記被写体の光学像が提供されていない場合には第１の制御を行い、提供されている場合には前記第１の制御とは異なる第２の制御を行う表示制御手段をさらに備え、前記第１の制御は、前記ファインダ装置の周辺の明るさに応じて前記バックライトの発光量を変更する制御であり、前記第２の制御は、前記光学ファインダに提供される前記被写体の光学像の明るさに応じて前記バックライトの発光量を変更する制御であることを特徴とする請求項１乃至５のいずれか一項に記載のカメラのファインダ装置。
【請求項７】
外部からの表示モードの指示に応じて前記第１の画像表示処理と第２の画像表示処理および前記第１の制御と第２の制御を切り替える制御手段をさらに備え、前記表示モードの指示は、第１の表示モードと第２の表示モードの指示を含み、前記第１の表示モードは、前記光学ファインダに前記被写体の光学像が提供されず、前記第１の画像表示処理と前記第１の制御が行われるモードであり、前記第２の表示モードは、前記光学ファインダに前記被写体の光学像が提供され、前記第２の画像表示処理と前記第２の制御が行われるモードであることを特徴とする請求項６に記載のカメラのファインダ装置。
【請求項８】
被写体の光学像が提供される光学ファインダ、画像情報を画像として表示する表示手段、所定の光学特性を有し、光学ファインダに提供される前記光学像と前記表示手段で表示された前記画像を、光学ファインダの光路において光学的に合成する光路合成手段とを備える、カメラのファインダ装置の制御方法において、
前記画像と光学的に合成される前記被写体の光学像が提供されているかどうかを、外部からのモードの指示に基づいて判定する判定ステップと、
前記画像情報に画像表示処理を行う画像表示処理ステップを備え、
前記画像表示処理ステップは、前記判定ステップが前記光学ファインダに前記被写体の光学像が提供されていないと判定した場合は、前記光路合成手段の光学特性に応じた第１の画像表示処理を前記画像情報に行うステップを含むことを特徴とする制御方法。
【請求項９】
請求項８に記載された制御方法をコンピュータに実行させるためのプログラム。
【請求項１０】
請求項８に記載された制御方法をコンピュータに実行させるためのプログラムを格納した記憶媒体。
【発明の詳細な説明】
【技術分野】
【０００１】
本発明はカメラのファインダ装置に関し、特に光学ファインダ像に電子ビューファインダの画像を重畳し、両者を同時に視認することが可能な一眼レフカメラのファインダ装置に関する。
【背景技術】
【０００２】
近年では一眼レフカメラタイプのカメラにおいても、撮像素子の連続的な撮影画像を表示部（ディスプレイ）に表示する、いわゆるライブビュー表示による静止画撮影、さらには動画撮影が可能となっている。その際、一眼レフカメラの光学ファインダに被写体光を導く主ミラーが撮影光路外に退避されてしまうため、撮影者は光学ファインダ像を視認できなくなり、代わりにカメラ背面に配置された表示部で被写界像を見ることになる。しかしながら光学ファインダと表示部でカメラを覗く姿勢が変わるのは撮影者にとって煩わしい上、表示部を見ながらの一眼レフカメラでの撮影は、カメラを保持する腕の脇をしめることが難しく、手振れを起し易い不安定な姿勢での撮影となる欠点である。とりわけ三脚を使用しない手持ちでの望遠レンズ撮影は、非実用的なものであった。
【０００３】
この問題に対し、従来から光学ファインダと、電子ビューファインダの切り替えを可能とするカメラの提案がなされている。光学ファインダと、電子ビューファインダとが同じ光路において切り替えが可能となれば、電子ビューファインダを使用するライブビュー表示撮影および動画撮影ができることになる。しかも、カメラのファインダを覗く撮影者の姿勢は、通常の光学ファインダを用いた状態と変わらないため、カメラを理想的な構えで保持し、撮影を行うことが可能となる。
【０００４】
光学ファインダと電子ビューファインダの両方を、カメラの撮影者に観察可能とする構成として最も現実的な手段は、光学ファインダの一部材であるペンタプリズムの射出面と接眼レンズとの間に半透過ミラー（半透過プリズム）を配置する構成である。これにより、光学ファインダの光路途中から電子ビューファインダの表示光路を導入することができる。
【０００５】
また、特許文献１においては、ファインダ光学像に電子ビューファインダ像を重畳して表示するファインダ装置の提案がなされている。具体的には、液晶フィルタをファインダ光路中に配置することで光学被写体像の光量を可変とし、一方では電子ビューファインダの表示パネルの輝度を変更することで重畳する電子画像の光量を変化させることを可能としている。さらに、この特許文献１は、電子画像の表示を行わない光学ファインダモード、光学画像に電子画像を重畳表示する重畳表示モード、過去に撮影した電子画像のみを読み出して、その画像のみを表示する画像確認モードといった各種表示状態モードを有する。特許文献１には、これらのモードに応じて最適なファインダ表示を実現するとともに、この構成を一眼レフカメラに適用した構成例も開示されている。
【先行技術文献】
【特許文献】
【０００６】
【特許文献１】特開２００３−７８７８５号公報
【発明の概要】
【発明が解決しようとする課題】
【０００７】
前記の特許文献１には、光学ファインダ像に電子ビューファインダの画像を重畳し、両者を同時に視認することが可能な一眼レフレカメラのファインダ構成例が以下のように示されている。
（１）光学ファインダモード時
電子画像の表示を行わない光学ファインダモードにおいては、制御回路は撮像素子や信号処理回路を停止させる。これにより、電子画像表示機能は全面的に非動作状態となる。このとき、液晶フィルタを透過状態（透過率１００％）にする。
（２）畳表示モード時
光学画像に電子画像を重畳表示する重畳表示モードにおいては、撮像素子や信号処理回路等を連続動作させ、液晶モニタに動画を表示する。このとき、液晶フィルタを半透過状態（透過率５０％）にする。さらには被写体の輝度が低い場合には光学画像が視認できなくなる場合も考えられる。逆に、５０％の低下では不充分な場合も考えられる。そこで、被写体の輝度を測定し、その値に応じて透過率を変更すれば、常に安定したファインダ画像が得られる。また、バックライト光量を調節して、相対的にバランスをとるようにしても良い。
（３）再生モード時
過去に撮影した電子画像を読み出して、その画像のみを表示する画像確認モードにおいては、撮像素子を停止させ、信号処理回路には画像メモリから一つ前に撮像した画像を読出し、液晶モニタに静止画を表示させる。このとき、液晶フィルタを不透過状態（透過率０％）にする。
【０００８】
以上のごとく、同文献ではカメラの各種ファインダ表示モードに応じて、液晶フィルタからなる被写体光減光手段の透過率を変化させ、同時に液晶モニタのバックライト光量も変化させることで、最適なファインダ表示となる制御についての提案となっている。しかしながら、液晶フィルタによる減光制御については、液晶デバイスそのものの特性からして品位の良い見栄えという点では不十分なものである。一般的なＴＮ液晶パネルは、偏向板を用いているために透過率を原理的に５０％以上出すことは不可能であり、屋外の高輝度撮影環境下以外では光学被写体像の見えが暗くなるために、撮影被写体の視認性は低下する。
【０００９】
またＰＮ液晶（高分子拡散液晶）パネルを減光手段に用いた場合、液晶駆動時の透過率は９０％程度と高いものの、非駆動時の拡散・減光時においては、光学像そのものが拡散してしまい被写体像がシャープに見えないという問題がある。さらには液晶デバイスを用いることで実装に伴うカメラの大型化、コストアップも問題となる。
【００１０】
そこで本発明の目的は、光学ファインダ像に電子ビューファインダの画像を重畳し、両者を同時に視認することが可能な一眼レフレカメラにおいて、上記従来技術の問題を解決できるファインダ装置を提供することである。具体的には、光学ファインダ像の品位を落とさずに、かつ光学被写体像の明るさに埋もれることなく重畳表示を視認可能となるカメラのファインダ装置を提供することにある。
【課題を解決するための手段】
【００１１】
上記目的を達成するために、本発明によれば、カメラのファインダ装置は、被写体の光学像が提供される光学ファインダと、画像情報を画像として表示する表示手段と、所定の光学特性を有し、光学ファインダに提供される光学像と表示手段で表示された画像を、光学ファインダの光路において光学的に合成する光路合成手段と、画像情報に画像表示処理を行う画像表示処理手段を備え、画像表示処理手段は、光学ファインダに被写体の光学像が提供されていない場合は、光路合成手段の所定の光学特性に応じた第１の画像表示処理を画像情報に行うことを特徴とする。
【発明の効果】
【００１２】
本発明によれば、上記従来技術の問題の解決を可能とする、光学ファインダ像に電子ビューファインダの画像を重畳し、両者を同時に視認することが可能な一眼レフレカメラのファインダ装置を提供することができる。具体的には、光学ファインダ像の品位を落とさずに、かつ光学被写体像の明るさに埋もれることなく重畳表示を視認可能とするカメラのファインダ装置を提供することが可能となる。
【図面の簡単な説明】
【００１３】
【図１】本発明の実施例に係る撮像装置の概略構成を示す図
【図２】本発明の実施例に係る撮像装置のブロック構成を示す図
【図３】本発明の実施例に係る撮像装置のファインダ部の構成の詳細を示す図
【図４】本発明の実施例に係るファインダ表示制御動作のフローチャートを示す図
【図５】ダイクロイックミラー分光特性を説明するための説明図
【図６】ＴＦＴディスプレイ分光透過率を説明するための図
【図７】本発明の実施例に係るファインダ装置が表示する画像の一例を示す図
【図８】本発明の実施例に係る撮像装置のライブビュー・動画撮影操作部材を示す図
【発明を実施するための形態】
【００１４】
以下に、本発明の好ましい実施の形態を、添付の図面に基づいて詳細に説明する。
【実施例】
【００１５】
以下、本発明の実施例を図１乃至図９に基づいて詳細に説明する。なお、図１乃至図８において、同一の要素部品には同じ番号を付して示し、特に必要がない限りその説明を省略する。
【００１６】
図１は、本発明を適用したデジタル式一眼レフカメラである撮像装置の概略構成を示す図である。
【００１７】
同図において、１０１はＣＰＵ（中央演算処理装置）であり、本カメラの動作はこのＣＰＵ１０１により制御される。１０５は撮影レンズであり、撮影被写体光を撮像素子１０６上に結像させている。なお同図に書かれた撮影レンズ１０５は、便宜的に１枚のレンズ１０５ａで表現しているが、実際には複数のレンズから成り立っている。
【００１８】
１２０は、撮影レンズ１０５の撮像素子１０６結像面と等価の結像面（一次結像面）に置かれた焦点検出板（以降ピント板と称する）であり、被写体像は主ミラー１２３で反射され、ピント板１２０上に一次結像する。撮影者はこの被写体像をファインダ光路変換手段であるペンタプリズム１２８、さらには接眼レンズ１２１を通じて見ることができる。このように、本実施例に係るファインダ装置は、いわゆるＴＴＬ方式の光学ファインダ構成となっている。
【００１９】
一方、主ミラー１２３は半透過ミラーとなっており、主ミラー１２３を透過した光束の一部はサブミラー１２２を介して焦点検出手段である焦点検出ユニット１１９に導かれ、周知の位相差検出方式の焦点検出動作に使用される。焦点検出手段は撮影画面の複数の領域について焦点検出が可能となっている。
【００２０】
１３０は測光センサであり、測光レンズ１２９によってピント板１２０に結像した被写体像の複数の領域における各々の輝度を検出可能となっている。
【００２１】
撮影者がレリーズＳＷ１１４（図２）を押すと、主ミラー１２６は撮影レンズ１０５の光路外に退避する。一方、撮影レンズ１０５によって集光された光学被写体像は、フォーカルプレーンシャッタ１３３にてその光量制御がなされ、撮像素子１０６に結像する。そして被写体の光学像が光電変換により画像信号に変換され、さらに画像処理された後、撮影済み画像として記録メディアに記録されるとともに、ＴＦＴ方式ディスプレイの表示部１１３に撮影画像として表示される。
【００２２】
以上が通常の静止画撮影の基本動作であるが、本撮像装置はそれ以外にライブビュー撮影、動画撮影も可能となっている。
【００２３】
ここで、ライブビュー撮影とは、主ミラー１２３を撮影光路から退避させ、シャッタ１３３の開放状態で撮像素子１０６が連続的に撮像した被写体の撮影画像を表示部１１３に表示し、撮影者がこの表示を観察しながら任意のタイミングで静止画撮影を行う撮影のことである。このライブビュー撮影状態から任意のタイミングで動画フォーマットへの変換、記録を行うのが動画撮影である。
【００２４】
光学ファインダを備えた一般的な一眼レフカメラでは、前述のように撮影時に主ミラー１２３が撮影レンズ１０５の光路外に退避すると光学ファインダは遮光状態になり、撮影被写体を見ることができなくなる。これに対し本実施例の撮像装置では、光学ファインダの光路の途中にファインダ内表示部１２４からなる電子ビューファインダを配置しているので、主ミラー１２３が撮影光路外に退避してもファインダ内部表示部１２４に表示された被写体像の確認が可能となっている。このファインダ表示部１２４は、小型ＸＧＡ（１０２４×７６８画素）サイズの高ポリシリコンＴＦＴ表示パネルである。
【００２５】
以上の構成により、本実施例に係る撮像装置の撮影者は、通常の静止画撮影時には光学ファインダにて被写体の観察を行うが、ライブビュー静止画撮影、動画撮影、あるいは撮影画像再生時においても、光学ファインダで被写体の観察が可能となる。これにより、撮影者は、光学ファインダを覗いていた同じ姿勢のままで、ファインダ内表示部１２４による電子画像の表示、いわゆる電子ビューファインダを用いた被写体観察が可能となる。
【００２６】
さらに主ミラー１２３が撮影光路内に位置している場合、つまり静止画撮影の状態で光学式ファインダが有効になっている場合でも、図７に示すように、撮影被写体の光学像に光学的に重畳させて表示を行う、いわゆるスーパーインポーズ表示を行うことが可能である。図７は、本実施例に係る撮像装置のファインダ装置におけるスーパーインポーズ表示の例を示し、ファインダ内表示部１２４に焦点検出領域や、構図決定用の方眼線表示、カメラの設定状態を示すアイコン等を表示している。またファインダ内表示部１２４を光学被写体像視野外に拡張してシャッタ秒時、レンズ絞り値、ＩＳＯ感度値といった撮影情報等を画像情報として配置、表示することも可能である。
【００２７】
また、本実施例に係る撮像装置は、撮像素子１０６にて連続的に撮像されている画像をファインダ内表示部１２４に表示するか、表示部１１３に表示をするかは、カメラが自動的に選択を行うよう構成されている。一例として、撮影者がファインダを覗いているか否かを検知する接眼検知センサ１６０が接眼レンズ１２１近傍に設けて、その出力に応じて、撮影者がカメラのファインダを覗いているかどうかを判断する。撮影者がカメラのファインダを覗いていると判断された場合は、撮影画像はファインダ内表示部１２４に表示がなされ、撮影者がカメラのファインダを覗いていないと判断される場合には、外部表示部１１３に画像表示がなされる。
【００２８】
図８は、撮像装置の外装部に配置されたライブビュースイッチ８４０と、動画撮影スイッチ８４１を示している。ライブビュースイッチ８４０は回転式のスイッチであり、スイッチの突起部が撮影モードのアイコン８４２の位置にある時は、光学ファインダを用いた通常の静止画撮影モードを指示する。他方、アイコン８４３の位置に突起部を移動させると、撮像装置の撮影モードはライブビュー撮影モードに設定される。またライブビュー撮影モード時に動画スタート・ストップスイッチ８４１を押すと、動画撮影・記録が開始され、再度該ボタンの押し直しで動画撮影は停止するようになっている。なお、本発明に関わる光学ファインダ、電子ビューファインダ、およびこの２つの合成表示であるスーパーインポーズ表示に関する具体的な説明は後述する。
【００２９】
図２は、本発明の実施例に係る撮像装置の概略構成を示すブロック図である。同図において、１０１は前述のＣＰＵ（中央演算処理装置）であり、不揮発性メモリであるＥＥＰＲＯＭ１０１ａを含んで構成されている。ＣＰＵ１０１には、制御プログラムを記憶しているＲＯＭ（リードオンリーメモリ）２０２、ＲＡＭ（ランダムアクセスメモリ）２０３、データ格納手段２０４が接続され、制御システムを構成する。また、ＣＰＵ１０１には、画像処理部１０８、表示制御部１１１、レリーズＳＷ２１４、電源を供給するためのＤＣ／ＤＣコンバータ２１７がそれぞれ接続され、画像処理部２０８には撮像素子制御部２０７、さらに撮像素子１０６が接続されている。撮像素子１０６は、有効画素数約１０００万画素（３８８８×２５９２画素）を有している。
【００３０】
撮像装置外装背面部、ファインダ内にそれぞれ設けられた表示部１１３、ファインダ内表示部１２４は、撮像素子１０６にて撮像された画像を縦横各々間引き処理された画像を表示することのできるＴＦＴカラー液晶表示手段である。表示制御部２１１は、撮像素子１０６で撮像された静止画像、動画像を表示するため表示部１１３、ファインダ内表示部１２４を駆動する。モータ制御部２２５は、前記ＣＰＵ１０１の指示を受けてミラー駆動などのために、カメラ内部の複数のモータを制御する。また、ＤＣ／ＤＣコンバータ２１７には電池２１６から電源が供給されている。
【００３１】
ＣＰＵ１０１はＲＯＭ２０２内の制御プログラムに基づいて各種制御を行う。これらの制御には、画像処理部２０８から出力された撮影画像信号を読み込み、ＲＡＭ２０３へ転送を行う処理、同様にＲＡＭ２０３より表示制御部２１１へデータを転送する処理が含まれる。また、画像データをＪＰＥＧ圧縮し、ファイル形式でデータ格納手段２０４へ格納する処理も含まれる。動画データの場合も同様な処理を経て、ＭＯＶ形式のファイルに圧縮された動画データがデータ格納手段２０４に格納される。さらにＣＰＵ１０１は、撮像素子１０６、撮像素子制御部２０７、画像処理部２０８、表示制御部２１１などに対してデータ取り込み画素数やデジタル画像処理の変更指示を行う。
【００３２】
１１９は前述の焦点検出用の一対のラインＣＣＤセンサを含んだ焦点検出制御部であり、ラインセンサから得られた電圧をＡ／Ｄ変換し、ＣＰＵに送る。また、ＣＰＵ１０１の指示の下に、焦点検出制御部１１９は、ラインセンサの蓄積時間とＡＧＣ（オートゲインコントロール）の制御も行う。また、レリーズＳＷ２１４の操作による撮影動作の指示、各素子への電源の供給をコントロールするための制御信号をＤＣ／ＤＣコンバータ２１７に対して出力する等の様々な処理も、ＣＰＵ１０１の制御の下に行われている。
【００３３】
ＲＡＭ２０３は、画像展開エリア２０３ａ、ワークエリア２０３ｂ、ＶＲＡＭ２０３ｃ、一時退避エリア２０３ｄを備えている。画像展開エリア２０３ａは、画像処理部２０８より送られてきた撮影画像（ＹＵＶ信号）やデータ格納手段２０４から読み出されたＪＰＥＧ圧縮画像データを一時的に格納するためのテンポラリバッファとして使用される。この他、画像圧縮処理、解凍処理のための画像専用ワークエリアとしても使用される。ワークエリア２０３ｂは、各種プログラムのためのワークエリアである。ＶＲＡＭ２０３ｃは、表示部１１３へ表示する表示データを格納するＶＲＡＭとして使用される。また、一時退避エリア２０３ｄは、各種データを一時退避させるためのエリアである。
【００３４】
データ格納手段２０４は、ＣＰＵ１０１によりＪＰＥＧ圧縮された撮影画像データ、あるいはＭＯＶ形式動画像データをファイル形式で格納しておくためのフラッシュメモリで構成される。撮像素子１０６は、ＣＰＵ１０１からの解像度変換指示に従って、水平方向および垂直方向に間引きした画素データの出力が可能である。撮像素子制御部２０７は、撮像素子１０６に転送クロック信号やシャッタ信号を供給するためのタイミングジェネレータ、ＣＣＤ出力信号のノイズ除去、ゲイン処理を行うための回路を有する。さらには、アナログ信号を１０ビットデジタル信号に変換するためのＡ／Ｄ変換回路、表示部１１３、ファインダ内表示部１２４にライブビュー表示、および動画撮影を行うために、ＣＰＵ１０１からの解像度変換指示に従って画素間引き処理を行うための回路等を含んでいる。
【００３５】
また画像処理部２０８は、撮像素子制御部２０７より出力された１０ビット信号をガンマ変換、色空間変換、また、ホワイトバランス、フラッシュ補正等の画像処理を行い、ＹＵＶ（４：２：２）フォーマットの８ビット信号出力を行う処理手段である。表示制御部２１１は、画像処理部２０８から転送されたＹＵＶデジタル画像データ、あるいはデータ格納手段２０４の画像ファイルに対してＪＰＥＧの解凍を行ったＹＵＶデジタル画像データを受け取り、ＲＧＢ信号へ変換する。表示制御部２１１は、変換されたＲＧＢ信号を表示部１１３、あるいはファインダ内表示部１２４へ出力するための処理を行う（画像表示処理手段）。
【００３６】
さらにＣＰＵ１０１は、撮影者がカメラのファインダを覗いているか否かを検知する接眼検知センサ１６０の制御、ファインダ内表示部１２４の表示輝度を決めるバックライトであるＬＥＤ１２４ａの電流制御を行っている。
【００３７】
レリーズＳＷ２１４は、撮影動作の開始を指示するための指示手段としてのスイッチである。このレリーズＳＷ２１４は、不図示のカメラ操作部材であるレリーズボタンの２段階の押下のスイッチポジションを有している。１段目のポジション（ＳＷ１ ＯＮ）の検出で、測光、焦点検出動作等の撮影準備動作が行われ、２段目のポジション（ＳＷ２ ＯＮ）の検出で、被写体の撮像及び画像信号の記録動作が行われる。
【００３８】
測光制御部２３２は、ＣＰＵ１０１の指示に従って測光センサ１３０を駆動制御し、被写体輝度の信号を取り込み、ＣＰＵ１０１にそのデータを送る。ＣＰＵ１０１は、この情報に基づいてカメラの最適露出演算を行ない、カメラのシャッタ秒時、撮影レンズの絞りを制御して最適な露光を達成する。
【００３９】
また２１６は、リチャージャブルの２次電池あるいは乾電池である。ＤＣ／ＤＣコンバータ２１７は、電池２１６からの電源供給を受け、昇圧、レギュレーションを行うことにより複数の電源を作り出し、ＣＰＵ１０１を初めとする各部に必要な電圧の電源を供給している。このＤＣ／ＤＣコンバータ２１７は、ＣＰＵ１０１からの制御信号により、各々の電圧供給の開始、停止の制御を行うように構成されている。
【００４０】
次に光学ファインダ、電子ビューファインダに関する詳細な説明を行う。
【００４１】
図３は、図１の撮像装置のファインダ部の詳細の拡大図である。図３において、光学ファインダは、撮影レンズ１０５によってピント板１２０に投影された被写体像を、接眼レンズ１２１によって拡大している。接眼レンズ１２１は、電子ビューファインダにも共用されており、ピント板１２０とは光路長の異なる位置にあるファインダ内表示部１２４との視度が一致するように、ＥＶＦレンズ１２５と光路折り曲げ用のＥＶＦミラー１２７が配置されている。なお接眼レンズ１２１は各種光学的な収差を抑えるために通常複数のレンズから構成されるが、ここでは便宜的に１枚のレンズとして示している。
【００４２】
１２６は、ファインダ内表示部１２４の像と光学ファインダ像を重ね合わせる光路合成手段であるところの光路合成プリズム（光学素子）である。光路合成プリズム１２６は、２枚の三角形プリズムの貼り合せから構成され、一方の三角形プリズムの接合反射面である１２６ａは、多層薄膜からなるダイクロイックミラー（所定の光学特性を有する波長選択性ミラー）である。撮影被写体からの光は、ダイクロイックミラー１２６ａにてその光量の一部が減衰されるが、ほとんどは撮影者の目に到達する。
【００４３】
ファインダ内表示部１２４に表示された画像は、白色のバックライトＬＥＤ１２４ａによって照明がなされ、ダイクロイックミラー１２６ａにてその一部の光が反射し、撮影者の目に入射する。ライブビュー撮影時、あるいは動画撮影時は、主ミラー１２３が撮影光路外に退避され、撮影レンズ１０５からの被写体光は撮影者の目には到達しない。つまり、光学ファインダは機能しなくなる。しかしが、撮影者は、ファインダ内表示部１２４に表示された被写体像を、接眼レンズ１２１を介して見ることができ、電子ビューファインダとして機能することができる。
【００４４】
光路合成手段としての反射面には半透過ミラー（プリズム）を用いるのが一般的である。しかしながら、一眼レフデジタルカメラの特徴的機能である光学ファインダの被写体光量低下が顕著にならないようにするには、半透過ミラーの可視域透過率を７０％以上に設定することが考えられます。この場合、半透過ミラーの反射を利用するファインダ内表示部１２４からの光は、その光量の３０％以下しか撮影者の目に届かないことになる。一方で、図６に示すように、ファインダ内表示１２４に用いているＴＦＴ表示パネルは、通常その透過率は１０％以下と低く、撮影者の目に入射する表示パネルの光は極めてエネルギ効率の低い伝達となっていることが分かる。それでもライブビュー撮影時のように光学ファインダの被写体光が遮られる場合は、バックライトＬＥＤ１２４ａの発光量を例えば２倍に上げれば実用上問題のない表示明るさを得ることができる。しかし、ファインダ内表示部１２４の表示にてスーパーインポーズ表示を行う場合、屋外の明るい被写体下ではさらにその明るさを上げないと高輝度の光学被写体像にスーパーインポーズ表示が埋もれて視認できない状態となる。そこでさらにバックライトＬＥＤ１２４ａの発光量を上げようとすると、消費電力、発熱の増大と言った問題が発生するため、表示輝度を上げるのにも限界がある。
【００４５】
一方、前述の光学ファインダの像視野内に光学的に重畳されてスーパーインポーズ表示される、例えば四角枠の焦点検出領域等の表示は、赤色で行うのが望ましい。それは人間の視覚特性上、赤色に対する刺激度が高いためであり、逆に言えば撮影対象物に刺激性の強い赤色が存在していることが少ないことであるため、赤色の表示は被写体光学像と明確に区別して視認できるからである。
【００４６】
一方では、人間の視感度は緑色がピークであり、赤色に対する感度は低いという特徴がある。従って本発明のようなＴＦＴ表示パネルで光学被写体像と重ね合わせてスーパーインポーズ表示を行うには、屋外の明るい光学被写体像に負けないようにとりわけ赤色の表示輝度を大きくすることが重要となる。
【００４７】
図５はダイクロイックミラー１２６ａの光学特性である分光透過率（光線４５度入射時）を示した図である。ダイクロイックミラー１２６ａは、通常光路合成に用いられる半透過ミラーの透過率が可視光波長領域４００ｎｍから７００ｎｍまでは一定であるのに対し、波長領域４００ｎｍから６３０ｎｍの間ではほぼ７５％と一定の透過率である。しかし、６３０ｎｍを越える長波長側では急激に透過率は低下し、６５０ｎｍで５０％、７００ｎｍでは１％程度まで低下する特性を有している。前述のように人間の視感度は４００ｎｍから７００ｎｍであるが、７００ｎｍに近づくにつれ、視感度は低下していく。従って撮影レンズから入射してきた光学ファインダ被写体光は、ダイクロイックミラー１２６ａを透過することで、赤色の光量が有る程度低下して撮影者の目に到達するが、撮影者は被写体の色との差異をほとんど気にせずに被写体画像を観察することができる。
【００４８】
一方、ファインダ内表示１２４の表示光は、前述のダイクロイックミラー１２６ａで反射して、分光透過率の１００（％）−透過率（％）の値である分光反射率に従った表示光となって撮影者の目に入射する。仮に光路合成の反射部材に透過率７５％の半透過ミラーを用いた場合、４００ｎｍから７００ｎｍに至る全可視域で２５％の一定の光量が、図５の領域Ａ＋領域Ｂにおいて観察者の目に入射することになる。これに対して本実施例では、光路合成にダイクロイックミラーを採用しているため、表示光の赤色の反射率を高くすることができる。つまり、可視域における赤色を６１０〜７００ｎｍの波長域とすると、前述の半透過ミラーを用いた光量（２５％）に加えて、赤の波長帯域である領域Ｃを加算した領域Ａ＋領域Ｂ＋領域Ｃから成る表示光量が撮影者の目に入射する。これを赤色の光量について比較すると、半透過ミラーに対して、ダイクロイックミラーの光量は、人間の視感度も考慮する必要があるが、おおよそ２倍程度の光量を期待ができる。従って、光学被写体像にスーパーインポーズされた焦点検出領域等の表示を明るい赤色で表示することが可能となる。
【００４９】
しかし他方では、スーパーインポーズ表示ではない、つまりライブビュー表示、あるいは撮影画像再生時の表示では、動画像又は静止画像が、赤色が強調された画像として観察されることになり、色再現性がくずれてしまうという問題が発生する。
【００５０】
そこで本発明の撮像装置では、ファインダ内表示部１２４に係る表示の状態（モード）に応じてファインダ内表示部１２４が表示する画像に対する画像信号補正処理を変更することで対応する。この構成を、図４のフローチャートを用いて以下に説明する。
【００５１】
図１は、本実施例に係る撮像装置のファインダ表示装置での表示制御動作のフローチャートを示す図である。Ｓ４００のファインダ表示制御サブルーチンは、撮像装置本体のＲＯＭ２０２に記憶されている制御プログラムに従ってＣＰＵ１０１が実行するメインルーチンのサブルーチンとなっていて、メインルーチンから任意に呼び出し実行されるものである。撮像装置のメインルーチンは、例えば被写体の撮影準備動作、カメラの撮影情報等を光学被写体像に重畳されたスーパーインポーズ表示、撮像されたライブビュー画像の表示、撮影動作、さらには撮影画像の信号処理、表示、記録するルーチンである。なお、撮像装置のメインルーチンは常識的な範疇のものであり、本実施例とは直接関係のないものなので詳細を省略する。
【００５２】
まず、図４のステップＳ４０１で、ＣＰＵ１０１は、撮像装置の設定されているファインダ表示モードがスーパーインポーズ表示（ＳＩ）モード（第一の表示モード）で有るか否かを判定する。これは、光学ファインダに被写体の光学像が提供されているかどうかを判定することになる。スーパーインポーズ表示モードであれば、ステップＳ４０４に進み、後述する第１の表示制御を実行する。スーパーインポーズ表示モードでない場合は、ステップＳ４０２に進み、他の表示モードであるかどうかを判定する。
【００５３】
ステップＳ４０４では、予め設定された表示用の画像信号、例えばＸＧＡディスプレイ中央部に幅３０画素×高さ４０画素、幅５画素からなる長方形を表示するための連続した複数の画素に各々８ビットのＲＧＢ値（２５５、０、０）（赤の画素値）がセットされる。これ以外の画素には、ＲＧＢ値（０、０、０）なるＲＧＢ信号がセットされ、これらの画像信号は、ＣＰＵ１０１から表示制御部２１１に入力される。そして、この入力されたＲＧＢ信号に第１の表示制御の画像信号補正処理が実行される。その後ステップＳ４０６において、表示制御部２１１により、赤い四角形形状である焦点検出領域がファインダ内表示部１２４であるＴＦＴディスプレイに表示される。
【００５４】
一方、ステップＳ４０２では、設定されているファインダ表示モードがライブビュー表示モードであるかどうかを判定する。ライブビュー表示モードである場合は、ステップＳ４０５に進み、第２の表示制御を実行する。ライブビュー表示モードでない場合は、ステップＳ４０３に進み、ＣＰＵ１０１が画像再生表示モード（第二の表示モード）であるかどうかの判定を行う。ただし、表示モードが二つの表示モードのいずれであっても、ステップＳ３０５において表示制御部２１１は第２の表示制御の画像信号補正処理を実行する。
【００５５】
ライブビュー表示モードの場合には、ステップＳ４０５において、撮像素子１０６にて撮像された画像信号がＹＵＶ信号形式で画像処理部２０８に入力される。画像処理部１０８に入力された画像信号は、ＹＵＶ信号の状態でガンマ変換、色空間変換等の画像処理が施され、各々Ｒ、Ｇ、Ｂ８ビットからなるＲＧＢ信号に変換され、表示制御部２１１に送られる。
【００５６】
一方、画像再生表示モードの場合は、ステップＳ４０５において、データ格納手段１０４から読み出された画像ファイルに対して画像処理部２０８がＪＰＥＧ解凍処理を行い、得られたＲＧＢ画像データが表示制御部２１１に入力される。
【００５７】
表示制御部２１１は、送られてきたＲＧＢ信号をＲＧＢ色空間にて色補正、明るさ補正等の画像信号補正処理を行い、さらにガンマ補正等を施してファインダ内表示部１２４に送る。これでステップＳ４０５の第２の表示制御は完了する。
【００５８】
前述の第１の表示制御と第２の表示制御との違いは、表示制御部２１１におけるＲＧＢ色空間での色、及び明るさの変更処理（カラーバランス処理）にある。色の変更はＲＧＢ信号の予め設定された係数の掛け算処理によって行われる。ＲＧＢの入力信号をＲ０、Ｇ０、Ｂ０、色変更後の出力を、Ｒ１、Ｇ１、Ｂ１とすると、例えば第１の表示制御の場合には、Ｒ１＝１．０×Ｒ０、Ｇ１＝１．０×Ｇ０、Ｂ１＝１．０×Ｂ０であり、係数を１．０としているので色補正、明るさ補正は行われない。これに対し、第２の表示制御では、例えばＲ１＝Ｒ０×０．５、Ｇ１＝Ｇ０×１．０、Ｂ１＝Ｂ０×１．４と赤色の強度を落とし、青色の強度を上げた色補正処理及び明るさ補正を行う。
【００５９】
第１の表示制御あるいは第２の表示制御が行われた画像信号は、ステップＳ４０６にてファインダ内表示部１２４であるＴＦＴディスプレイに画像として表示される。
【００６０】
次いで、ステップＳ４０７において、ＣＰＵ１０１は、表示モードがスーパーインポーズ表示モードであるかどうかを判定する。スーパーインポーズ表示モードであれば、ステップＳ４０８に進み、ＴＦＴディスプレイのバックライトＬＥＤ１２４ａの電流制御として第１のバックライト制御を実行する。一方、スーパーインポーズ表示モードでない、つまりライブビュー表示モード、あるいは画像再生表示モードであれば、ステップＳ４０９に進み、第２のバックライト制御により明るさの制御を実行する。
【００６１】
第１のバックライト制御では、静止画撮影モード時にファインダ内表示部１２４によって表示される焦点検出領域等の表示マークの明るさが、背景の光学ファインダ被写体光に対して充分視認可能となるようにバックライト１２４ａのＬＥＤ電流制御を行う。つまり、被写体輝度が明るくなればなるほどＬＥＤへの電流を増加させる制御を実行する。
【００６２】
第２のバックライト制御では、被写体からの光はライブビュー動作に伴う主ミラー１２３の光路外への退避にて完全に遮断されているため、測光センサ１３０での輝度検出は不能となる。そこでファインダ内表示部１２４の観察に影響を与えるのは、カメラの接眼周りの外光成分と考えられるため、接眼検知センサ１６０の出力を用いてバックライト１２４ａのＬＥＤ電流制御を行う。ここでは、注視対象のファインダ内表示部１２４以外はほぼ暗黒状態であり、ファインダを覗きこむ顔周辺の輝度変化に対応すれば良いので広い範囲の外光に対する電流制御は行っていない。さらに言うならば、第２のバックライト制御では、電流値を一定にしても実用上はほとんど問題ない。
【００６３】
バイックライト制御を行ったら、ステップＳ４１０において、メインルーチンに戻る。
【００６４】
以上、本発明の好ましい実施例について説明したが、本発明はこれらの実施例に限定されるものではない。例えばこれまでのファインダ構成の説明では、光学ファインダと電子ビューファインダを両立させるために、一方の反射面にダイクロイックコートを施した２枚の貼り合わされた三角形プリズムを用いているが、単純にダイクロイックミラーを１枚配置する構成でもあっても良い。またファインダ内表示部１２４がＴＦＴ表示パネルではなく、バックライトＬＥＤを必要としない有機ＥＬ表示パネルであっても良い。また本発明では表示制御部２１１において、画像信号の色、明るさの画像信号補正処理を行っているが、画像処理部２０８で行うようにしても最終的には同様の効果を得ることができ、その要旨の範囲内で種々の変形及び変更が可能である。
【００６５】
また、本発明の目的は、前述した実施形態の機能を実現するソフトウェアのプログラムコードを記録した記憶媒体を、システム或いは装置に供給することによっても達成される。すなわち、そのシステム或いは装置のコンピュータ（またはＣＰＵやＭＰＵ）が記憶媒体に格納されたプログラムコードを読み出し実行することによっても本件発明の目的が達成されることは言うまでもない。
【００６６】
この場合、記憶媒体から読み出されたプログラムコード自体が前述した実施形態の機能を実現することになり、プログラムコード自体及びそのプログラムコードを記憶した記憶媒体は本発明を構成することになる。
【００６７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６８】
また、コンピュータが読み出したプログラムコードの指示に基づき、コンピュータ上で稼動しているＯＳ(基本システム或いはオペレーティングシステム)などが実際の処理の一部又は全部を行うことによっても前述した実施形態の機能が実現される。この場合も本件発明に含まれることは言うまでもない。
【００６９】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づく処理も本件発明に含まれる。すなわち、機能拡張ボードや機能拡張ユニットに備わるＣＰＵ等がプログラムコードの指示に基づき実際の処理の一部又は全部を行って前述した実施形態の機能を実現する場合も本件発明に含まれることは言うまでもない。
【００７０】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図１】
2015115938.tif 000003
【図２】
2015115938.tif 000004
【図３】
2015115938.tif 000005
【図４】
2015115938.tif 000006
【図５】
2015115938.tif 000007
【図６】
2015115938.tif 000008
【図７】
2015115938.tif 000009
【図８】
2015115938.tif 000010